(57)【要約】【課題】多量の物品を入れ込むことができ、重量のある物品を容易、安全に乗せることができ、また、乳幼児のほかに子供を立位させて安全に乗せることができる強度、耐久性に優れたショッピングカートを提供する。【解決手段】複数の車輪が前後端に設けられた車台と、該車台の後部に立設された支柱２０と、支柱２０の上部に設けられた操作ハンドルとを有するショッピングカートであって、前記車台の後部に子供を立位させることができる床面を設け、支柱２０は、車台の後部の左右両側に立設された左右一対の縦部材２１と、縦部材２１を支持する支持部材２５とから構成され、左右一対の縦部材２１は、上端側が前方に屈曲された後に左右方向内側に屈曲されて、連結され、支柱２０が、ショッピングカートの後方を除いて前記床面を囲む枠として形成される。【選択図】図４
2015077970.tif 000002
【特許請求の範囲】
【請求項１】
複数の車輪が前後端に設けられた車台と、該車台の後部に立設された支柱と、該支柱の上部に設けられた操作ハンドルとを有するショッピングカートであって、
前記車台の後部に子供を立位させることができる床面を設け、
前記支柱は、前記車台の後部の左右両側に立設された左右一対の縦部材と、該縦部材を支持する支持部材とから構成され、
左右一対の前記縦部材は、上端側が前方に屈曲された後に左右方向内側に屈曲されて、連結され、
前記支柱が、前記ショッピングカートの後方を除いて前記床面を囲む枠として形成される、
ショッピングカート。
【請求項２】
前記車台は、前記床面の前方に下部かご枠を有する請求項１に記載のショッピングカート。
【請求項３】
前記下部かご枠の底面部は、後方に向かって下がる緩斜面になっていることを特徴とする請求項２に記載のショッピングカート。
【請求項４】
前記支柱から前記車台の上面に張り出すように設けられた上部かご枠を更に有する請求項１〜３のいずれか一項に記載のショッピングカート。
【発明の詳細な説明】
【技術分野】
【０００１】
本発明は、スーパーマーケット、量販店等で使用されるショッピングカートに係り、特に重量物品や子供等を容易、安全に乗せることができるショッピングカートに関する。
【背景技術】
【０００２】
スーパーマーケット等において顧客は一度に多くの商品を購入することが多く、店舗内にはショッピングカートが備えられて顧客の便宜が図られている。ショッピングカートは、一般に、複数の車輪が前後端に設けられた台車様のものに、購入された様々な商品（物品）をそのまま又はスーパーマーケット等に備え付けの買い物かごに入れたまま入れ込むことができるかご枠を有する形態をしている。
【０００３】
ショッピングカートにおいて、下部かご枠及びその上部に張り出すように設けられた上部かご枠を有する形態のものがある。このショッピングカートにおいては、一般に重い物品が下部かご枠に入れ込まれることが多いために、顧客は不自然な姿勢で重量物を取り扱うことになる。このような不便を解消するために、例えば、特許文献１に、下段バケットに、下段バケットを形成するフレーム材に脱落不能に装着されるとともに、下段バケット内に収納可能でかつ下段バケットの前方向または後方向に引出可能に形成されたトレイを設けたことを特徴とするショッピングカートが提案されている。
【０００４】
一方、ショッピングカートを使用する顧客には子供連れや老人もあり、乳幼児を乗せる座席付きのショッピングカートや、大人が自由に休止することができる座席付きのショッピングカートも提案されている。例えば、特許文献２に、キャスターが取付けられた台座フレームと、台座フレームに立設された一対の支持フレームと、支持フレームの上端に連設されているハンドルバーと、ハンドルバーの前方域に乗物玩具部とを有するショッピングカートであって、乗物玩具部に子供用座席部とその後方にかご載置台が設けられ、子供用座席部の下前方の台座フレーム上に足載せ板と、子供用座席部の前方を包囲する前面パネル部とを有するショッピングカートが提案されている。
【０００５】
特許文献３に、ショッピングカート本体へ回動自在に装着される床面に足を付けて座ることができる折り畳み可能な大人用座席と、この大人用座席を略水平に支持するための支持部材を有することを特徴とする大人用座席付きショッピングカートが提案されている。
【先行技術文献】
【特許文献】
【０００６】
【特許文献１】特開平０６−２７０８１５号公報
【特許文献２】特開２００５−５９６７４号公報
【特許文献３】特開平１１−７８８９９号公報
【発明の概要】
【発明が解決しようとする課題】
【０００７】
一般に、下部かご枠及びその上部に張り出すように設けられた上部かご枠を有する形態のショッピングカートは、多くの物品を入れ込むことができるのでショッピングカートとして好ましい。しかし、特許文献１に提案されたショッピングカートは、トレイを出し入れする手間を要し、重量物を入れ込むには強度、耐久性又は操作性の問題がある。
【０００８】
特許文献２又は３に提案されたショッピングカートは、ショッピングカートに設けられた座席に乳幼児や老人等が座ることができるという利点があるが、複数のかご枠又は容量の大きいかご枠を設けることが困難であるという問題がある。
【０００９】
本発明は、このような従来の問題点に鑑み、下部かご枠及びその上部に張り出すように設けられた上部かご枠を有する形態のショッピングカートであって多量の物品を入れ込むことができ、重量のある物品を容易、安全に乗せることができ、また、乳幼児のほかに子供を立位させて安全に乗せることができる強度、耐久性に優れたショッピングカートを提供することを目的とする。
【課題を解決するための手段】
【００１０】
本発明に係るショッピングカートは、複数の車輪が前後端に設けられるとともに下部かご枠が設けられた車台と、その車台の後部に立設された支柱と、その支柱から前記車台上面に張り出すように設けられた上部かご枠と、前記支柱の上端部に設けられた操作ハンドルとを有するショッピングカートであって、前記車台の後部に滑り止めが施された床面が設けられ、その床面の上部が上方に開放されているものである。
【００１１】
また、本発明に係るショッピングカートは、複数の車輪が前後端に設けられるとともに下部かご枠が設けられた車台と、その車台の後部に立設された支柱と、その支柱から前記車台上面に張り出すように設けられた上部かご枠と、前記支柱の上端部に設けられた操作ハンドルとを有するショッピングカートであって、前記車台の後部に子供を立位させることができる床面と、その床面上部に子供に把持させるガイド枠とが設けられている。
【００１２】
上記発明において、車台は、複数の車輪及び下部かご枠が設けられる下部材と、その下部材の後部上面に被さる上部材とが結合されてなり、前記上部材は、その上面に床面が張られ、該床面の下部空間に他の車台の前部及び下部かご枠が入り込むようになっているものとすることができる。
【００１３】
支柱は、車台の左右に立設する縦部材とその縦部材を支持する支持部材と、前記縦部材の両側部を連結する横部材とを有し、前記縦部材の両側部上端は、後方に屈曲されるとともに折り返して前方に屈曲されたのち、左右に屈曲されて連結されてなるものとすることができる。
【００１４】
また、本発明に係るショッピングカートは、複数の車輪が前後端に設けられるとともに下部かご枠が設けられた車台と、その車台の後部に立設された支柱と、その支柱から前記車台上面に張り出すように設けられた上部かご枠と、前記支柱の上端部に設けられた操作ハンドルとを有するショッピングカートであって、ネスティングされるショッピングカートの前後位置が、前のショッピングカートの下部かご枠又は車台に設けられたストッパと後のショッピングカートの車台前端部との接触により規制されるようになったものとすることができる。
【発明の効果】
【００１５】
本発明に係るショッピングカートは、スーパーマーケット等で購入した多量の物品を入れ込むことができるとともに、重量のある物品を容易かつ安全に入れ込むことができ、また、乳幼児のほかに子供を立位させて安全に乗せることができる。
【図面の簡単な説明】
【００１６】
【図１】本発明に係るショッピングカートの斜視図である。
【図２】図１の車台部分の説明図である。
【図３】図１の上部材部分を示す詳細図である。
【図４】図１の支柱部分の説明図である。
【図５】図１のＹＹ線に沿う車台前部及び下部かご枠部分の断面図である。
【図６】本発明に係るショッピングカートのネスティングの説明図である。
【図７】支柱部分の他の実施例の説明図である。
【発明を実施するための形態】
【００１７】
以下、本発明を実施するための形態について図面を基に説明する。図１は、本発明に係るショッピングカートの一実施例の斜視図である。本ショッピングカート１００は、図１に示すように、複数の車輪５５が前後端に設けられるとともに下部かご枠３０が設けられた車台１０と、その車台１０の後部に立設された支柱２０と、その支柱２０から車台１０上面に張り出すように設けられた上部かご枠４０と、を有している。
【００１８】
車台１０は、図２に示すように、主として下部材１１と下部材１１の後部上面に被さるように設けられた上部材１５とからなり、前輪５５Ａの取り付け及び前輪５５Ａからの負荷等を考慮して前補強部材１３が設けられ、後輪５５Ｂと上部材１５からの負荷及び下部材１１と上部材１５の補強等を考慮して後補強部材１４が設けられている。
【００１９】
上部材１５は、板金製でその外縁１５ａが曲面加工されており、左右の縁にカバー部１５ｂを有す。上部材１５の上面には凹凸状の加工が施され床面１５ｃが形成されている。上部材１５は、支柱の縦部材２１と支持部材２５及びカバー部１５ｂを介して下部材１１に結合されている。このため、車台１０の後部が箱形構造をしており、強度及び剛性に優れた構造になっている。また、外縁１５ａの曲面加工や床面１５ｃの凹凸加工により、上部材１５の強度向上及び軽量化が図られている。そして、床面１５ｃの凹凸加工により滑り止め機能が発揮される構造になっている。
【００２０】
図３に上部材１５の詳細を示す。上部材１５は、上述のように、外縁１５ａが曲面加工されており、カバー部１５ｂを有する。上部材１５の床面１５ｃは、前後（Ｃ−Ｃ）方向の凸条（本例の場合は５本の凸条）と、その凸条の間に設けられた横（Ｄ−Ｄ）方向の多数の凸条を有している。また、多数の水抜孔１８を有する。上部材１５のカバー部１５ｂは、上部材１５の強度向上の他に、車台１０側面から床面１５ｃ下部への子供の足等の侵入防止効果を有する。
【００２１】
なお、支持部材２５の下部材１１との結合部分２５ａは、後輪５５Ｂの支持軸がねじ結合可能な構造になっている。本例の場合、図２に示すように、上部材１５の外縁１５ａの後端部にのみ後補強部材１４が設けられているが、必要に応じて外縁１５ａの前端部に補強部材を設けることができる。また、上部材１５のカバー部１５ｂのないものは、座面、物品の載置台等を有するショッピングカートの座面等として利用することができる。この場合は、軽量で強度のある座面等を構成することができる。
【００２２】
支柱２０は、図４に示すように、車台１０から立設する縦部材２１とその縦部材２１を支持する支持部材２５と、縦部材２１の両側部（垂直部分２１ａ）を連結する横部材２７とを有している。そして、本例の縦部材２１は、その上端が後方に屈曲されるとともに折り返して前方に屈曲されたのち、それぞれ中心方向、すなわち左右に屈曲されて連結されている。これにより、後方に屈曲されるとともに折り返す部分２１ｂにより、ショッピングカート１００の操作ハンドルが形成される。この縦部材２１の部分２１ｂに続く部分２１ｃと左右に屈曲されて連結される部分２１ｄにより、ショッピングカート１００の後方を除いて周囲を囲む枠が形成され、この枠と上述の強度、剛性に優れた車台１０及び滑り止め機能を有する床面１５ｃにより、車台１０の後部（上部材１５の床面１５ｃの上）に子供を立位させても安全に載せることができる。すなわち、この周囲を囲む枠は、上部材１５上に子供を載せた場合に、子供が掴みやすく子供の動く範囲を所定の範囲に規制するガイド枠として機能する。
【００２３】
ガイド枠の床面１５ｃからの高さ、幅（部分２１ｄの長さ）は、子共の年齢等を考慮して決められる。本例の場合、ガイド枠は、操作ハンドル（部分２１ｂ）の高さより低くなっている。また、ガイド枠は、把持しやすいようにグリップ５８を設けることができる。
【００２４】
本発明に係る支柱２０は、その土台部分となる縦部材２１及び支持部材２５の根元部が台車１０の下部材１１及び上部材１５から形成される箱形構造により支持されているので、強度及び剛性に優れ、子供がガイド枠に寄りかかっても充分な強度を有し、安全性に優れている。また、支柱２０の上部後端部の操作ハンドルからガイド枠に至る部分がループ状に形成されているので、子供が突き当たり難くなっているとともに当たった場合の安全性を考慮した構造になっている。
【００２５】
下部かご枠３０は、図５に示すように、底面部３１、前縁部３３及び後縁部３４から形成され、下部かご枠３０の左右縁部は台車１０の下部材１１により形成されるようになっている。底面部３１は、物品を入れ込みやすいように後方に向かって緩斜面になっている。後縁部３４は、急傾斜面に形成されている。下部かご枠３０は、引掛部３１ａにより車台１０に係合されており、この引掛部３１ａを中心に矢印方向に回転可能になっている。また、以下に説明するショッピングカートのネスティングの際に利用されるストッパ３５が設けられている。
【００２６】
上部かご枠４０は、上述のように、台車１０又は下部かご枠３０の上面に張り出しており、その内部に乳幼児を座らせるかご枠４５を有する。かご枠４５にネットを設けると、かご枠４５を貴重品の入れ場所として利用することができる。
【００２７】
本ショッピングカート１００は、上述のように、強度及び剛性に優れており、滑り止めを有する床面１５ｃとガイド枠を有するので、床面１５ｃに子供（幼児や児童）を立位させた状態で載せて安全に買い物をすることができる。また、図１に示すように、従来のショッピングカートと同様に、乳幼児を座らせて乗せることができるかご枠４５を有するので、家族で買い物をするのに重宝である。
【００２８】
そして、本発明に係るショッピングカート１００は、床面１５ｃからガイド枠までの範囲の床面１５ｃ上の空間は自由空間になっている。そして、床面１５ｃ上のガイド枠に囲まれる空間は上に開放されている。従って、大きくて重量のある物品や背丈のある物品を容易に床面１５ｃに載せることができ、効率的に運ぶことができる。これにより、従来のショッピングカートのように、重量のある箱入りのジュースや缶詰を苦労して下部かご枠に入れ込まなければならないとう問題を解決することができる。
【００２９】
本ショッピングカート１００のネスティングは、図６に示すように行われる。すなわち、ショッピングカート１０１は、その下部かご枠３０が設けられた車台１０の下部材１１が、ショッピングカート１００の上部材１５の下部（床面１５ｃの下部空間）に入り込むと、車台１０（下部材１１）の前端部がショッピングカート１００の下部かご枠３０の後縁部３４に接触し、ショッピングカート１００の下部かご枠３０が矢印方向に回転する（図４）。これとともにショッピングカート１００のかご枠４５が跳ね上げられてネスティングされる。このネスティングの際に、ショッピングカート１０１の前後位置は、ショッピングカート１００の下部かご枠３０に設けられたストッパ３５により規制されるようになっている。
【００３０】
本発明に係るショッピングカートのネスティングにおいては、ショッピングカート１００とショッピングカート１０１との接触は、ショッピングカート１０１の車台１０の前端部とショッピングカート１００に設けられたストッパ３５により行われる。このため、本発明に係るショッピングカートにおいては、下部かご枠３０や上部かご枠４０同士の接触などによる塗装の剥離、損傷を防止することができる。また、本ショッピングカート１００の下部かご枠３０は、図５に示すように、下部材１１の厚さの中にほぼ入る厚さの構造になっており、下部かご枠３０が引掛部３１ａを中心に回転するようになっているので、ネスティングを効果的に行うことができるとともに、コンパクトなショッピングカートを実現することができる。
【００３１】
このように、ネスティングされるショッピングカートの所定の部位の接触によりネスティングが規制される方式のものは、接触部位を所定の特性（強度、緩衝性能等）をもつものにすればよく、効果的で経済的なショッピングカートを実現することができる。また、このような方式のものは、本例のような下部かご枠及びその上部に張り出すように設けられた上部かご枠を有する形態のショッピングカートに限らずいずれの形式のショッピングカートにも実施することができる。ストッパ３５は、下部かご枠３０に限らず車台１０に設けることもできる。
【００３２】
以上、本ショッピングカート１００について説明した。本発明に係るショッピングカートは、上記のものに限定されない。例えば、支柱は、図７に示す構造のものにすることができる。本例の支柱２０は、縦部材２２、支持部材２５、横部材２７、２８及びガイド棒２９を有する。縦部材２２の上端の後方に屈曲した部分２２ｄにより操作ハンドルが形成され、横部材２８及びガイド棒２９によりガイド枠が形成される。本例の支柱２０は、経済性に優れる構造になっている。
【符号の説明】
【００３３】
１０  車台
１１  下部材
１３  前補強部材
１４  後補強部材
１５  上部材
１８  水抜孔
２０  支柱
２１、２２  縦部材
２５  支持部材
２７、２８  横部材
２９  ガイド棒
３０  下部かご枠
３１  底面部
３３  前縁部
３４  後縁部
３５  ストッパ
４０  上部かご枠
４５  かご枠
５５  車輪
５８  グリップ
１００、１０１  ショッピングカート
【図１】
2015077970.tif 000003
【図２】
2015077970.tif 000004
【図３】
2015077970.tif 000005
【図４】
2015077970.tif 000006
【図５】
2015077970.tif 000007
【図６】
2015077970.tif 000008
【図７】
2015077970.tif 000009